(57)【要約】【課題】人体の形状に沿うように密着でき、かつ、通気性に優れ、発汗によって生ずる蒸れを軽減可能なプロテクター用パット部材を提供する。【解決手段】人体の腰部及びその近傍を保護する腰用のプロテクター用パット部材に於て、上腰パット片51の下縁部51ｂの左右端と下腰パット片52の上縁部52ａの左右端とを重ね合わせた左右両端部を相互に縫着し、中間部を非縫着として、上腰パット片51と下腰パット片52とを相互に折曲げ自在に構成し、さらに、非縫着の中間部において上縁部52ａと下縁部51ｂとを離間させて細長スリット状の腰用通気窓部50を形成する。【選択図】図９
2011190563.tif 000002
【特許請求の範囲】
【請求項１】
人体の腰部及びその近傍を保護する腰用のプロテクター用パット部材に於て、
上腰パット片（51）の下縁部（51ｂ）の左右端と下腰パット片（52）の上縁部（52ａ）の左右端とを重ね合わせた左右両端部を相互に縫着し、中間部を非縫着として、上記上腰パット片（51）と上記下腰パット片（52）とを相互に折曲げ自在に構成し、
さらに、上記非縫着の中間部において上記上縁部（52ａ）と上記下縁部（51ｂ）とを離間させて細長スリット状の腰用通気窓部（50）を形成したことを特徴とするプロテクター用パット部材。
【請求項２】
人体の首後部及びその下部近傍を保護する首用のプロテクター用パット部材に於て、
上首パット片（61）の下縁部（61ｂ）の左右端と下首パット片（62）の上縁部（62ａ）の左右端とを重ね合わせた左右両端部を相互に縫着し、中間部を非縫着として、上記上首パット片（61）と上記下首パット片（62）とを相互に折曲げ自在に構成し、
さらに、上記非縫着の中間部において上記上縁部（62ａ）と上記下縁部（61ｂ）とを離間させて細長スリット状の首用通気窓部（60）を形成したことを特徴とするプロテクター用パット部材。
【発明の詳細な説明】
【技術分野】
【０００１】
本発明は、球技用のプロテクター用パット部材に関する。
【背景技術】
【０００２】
従来、選手や審判員に他者や球が直接あたらないように保護する球技用のプロテクターは、人体の上半身前面を保護する大きな一枚板状のプロテクター本体を有している（例えば、特許文献１参照）。
【先行技術文献】
【特許文献】
【０００３】
【特許文献１】特開２０００−１７６０７２号公報
【発明の概要】
【発明が解決しようとする課題】
【０００４】
しかし、従来のプロテクターは、大きな一枚板状に形成されているため、体の曲線に沿うように人体に密着させて装着させることが困難な場合があった。また、夏期等において発汗して、人体とプロテクターの間で、蒸れが発生し、装着時に不快感や違和感を感じ、快適にプレーすることができないと共に、プレーに集中できないという問題があった。
【０００５】
そこで、本発明は、人体の形状に沿うように密着でき、かつ、通気性に優れ、発汗によって生ずる蒸れを軽減できるプロテクター用パット部材の提供を目的とする。
【課題を解決するための手段】
【０００６】
上記目的を達成するために、本発明のプロテクター人体の腰部及びその近傍を保護する腰用のプロテクター用パット部材に於て、上腰パット片の下縁部の左右端と下腰パット片の上縁部の左右端とを重ね合わせた左右両端部を相互に縫着し、中間部を非縫着として、上記上腰パット片と上記下腰パット片とを相互に折曲げ自在に構成し、さらに、上記非縫着の中間部において上記上縁部と上記下縁部とを離間させて細長スリット状の腰用通気窓部を形成したものである。
【０００７】
また、人体の首後部及びその下部近傍を保護する首用のプロテクター用パット部材に於て、上首パット片の下縁部の左右端と下首パット片の上縁部の左右端とを重ね合わせた左右両端部を相互に縫着し、中間部を非縫着として、上記上首パット片と上記下首パット片とを相互に折曲げ自在に構成し、さらに、上記非縫着の中間部において上記上縁部と上記下縁部とを離間させて細長スリット状の首用通気窓部を形成したものである。
【発明の効果】
【０００８】
本発明のプロテクター用パット部材によれば、装着状態で、縫着部廻りに揺動して、人体に沿うように密着する。つまり、人体の曲線に沿って当接し、（従来の）一体ものの場合の不快な違和感が軽減する。また、人体との間の熱を逃がす、又は、人体の間に外気を取り込んで、冷却効果をもたらす。蒸れを軽減し、快適にプレーさせる。
【図面の簡単な説明】
【０００９】
【図１】本発明のプロテクター用パット部材が適用されるプロテクターを示す正面図である。
【図２】背面図である。
【図３】要部分解図である。
【図４】図１のＡ−Ａ拡大断面図である。
【図５】図１のＢ−Ｂ拡大断面図である。
【図６】製造工程を説明する横断面図であり、（ａ）は縫製前の横断面図であり、（ｂ）は縫製後の横断面図である。
【図７】製造工程を説明する縦断面図であり、（ａ）は縫製前の縦断面図であり、（ｂ）は縫製後の縦断面図である。
【図８】作用を説明するための要部横断面図である。
【図９】本発明の第１の実施形態である腰パット部材を示す正面図である。
【図１０】腰パット部材を示す背面図である。
【図１１】腰パット部材の作用説明図である。
【図１２】本発明の第２の実施形態である首パット部材を示す正面図である。
【図１３】首パット部材を示す背面図である。
【図１４】首パット部材の作用説明図である。
【発明を実施するための形態】
【００１０】
以下、図示の実施の一形態に基づき本発明を詳説する。
本発明のプロテクター用パット部材が適用されるプロテクターは、野球やソフトボール等の球技の捕手（選手）や審判員の上半身を保護するものである。図１乃至図３に於て、人体（装着者）の鎖骨部と胸部及び前腹部を保護する可撓性を有する板状の中央保護部材１と、人体の前腹部乃至横腹部を保護する左右一対の可撓性を有する板状の側方保護部材２，２と、中央保護部材１と側方保護部材２とを連結する細長状の可撓性を有する連結帯体３，３と、から成るプロテクター本体８を備えている。
【００１１】
連結帯体３の一方の側縁部33ａを、中央保護部材１の左右各側縁部13の表て面側に配設して重ね合わせ、間欠的に上下（縦方向）に縫着し、複数の非縫着の部位を形成している。この非縫着の部位を、表て面側と裏面側とを連通させる第１通気口15としている。このようにして、第１通気口15は、連結帯体３の一方の側縁部33ａ（中央保護部材１の側縁部13）に沿って上下に所定間隔をもって複数設けられる。
【００１２】
また、連結帯体３の他方の側縁部33ｂを、側方保護部材２の一方の側縁部23ａの表て面側に配設して重ね合わせ、間欠的に上下（縦方向）に縫着し、複数の非縫着の部位を形成している。この非縫着の部位を、表て面側と裏面側とを連通させる第２通気口25としている。このようにして、第２通気口25は、連結帯体３の他方の側縁部33ｂ（側方保護部材２の一方の側縁部23ａ）に沿って上下に所定の間隔をもって複数設けられる。
【００１３】
中央保護部材１の側縁部13と、側方保護部材２の側縁部23ａとは、直接縫着されず、非装着状態で、所定の間隔寸法Ｇ（図２及び図５参照）をもって、離間されて連結帯体３に縫着されている。中央保護部材１と側方保護部材２は、連結帯体３を介して、相互に折曲げ自在に連結されている。
【００１４】
言い換えると、人体の上半身（胸部と腹部）を保護するプロテクター本体８を、１つの略逆台形状（底辺寸法が上辺寸法より小さい台形状）の中央保護部材１と、２つの略三角形状乃至台形状の側方保護部材２，２と、２つの（縦長円状乃至縦長矩形状の）連結帯体３と、に５分割し、各部材を縫着して連結し、横方向（人体の上半身周り）に折れ曲がり自在な多関節型のプロテクター本体８としている。なお、図１と図２及び図５と図８に於て、中央保護部材１と連結帯体３との縫着部（ミシン目）、及び、連結帯体３と側方保護部材２との縫着部等の各部材間の縫着部を太い破線で示す。
【００１５】
また、中央保護部材１は、表て面側８ａに、所定の上下間隔をもって突設された複数の衝撃緩和吸収用の第１保護凸部11を有している。側方保護部材２は、表て面側８ａに、所定の上下間隔をもって突設された複数の衝撃緩和吸収用の第２保護凸部21を有している。連結帯体３は、表て面側８ａに、所定の上下間隔をもって突設された複数の衝撃緩和吸収用の第３保護凸部31を有している。
【００１６】
第１保護凸部11と、第３保護凸部31と、第２保護凸部21とを、横方向（図１に示す非装着の展開状態で左右方向）に、並設している。連結帯体３の一方の側縁部33ａを挟んで、横方向に、第１保護凸部11と第３保護凸部31とが隣合っている。また、連結帯体３の他方の側縁部33ｂを挟んで、横方向に、第３保護凸部31と第２保護凸部21とが隣合っている。そして、図１及び図４に示すように、横方向に隣合う第１保護凸部11と第３保護凸部31の間に第１通気口15を形成している。また、横方向に隣合う第３保護凸部31と第２保護凸部21の間に第２通気口25を形成している。
【００１７】
言い換えると、図１及び図５に示すように、上下に隣合う第１保護凸部11と第１保護凸部11の間の第１凹部12と、上下に隣合う第２保護凸部21と第２保護凸部21の間の第２凹部22と、上下に隣合う第３保護凸部31と第３保護凸部31の間の第３凹部32と、を、横方向に連通するように並設している。そして、横方向に隣合う第１凹部12と第３凹部32の間を縫着している。横方向に隣合う第３凹部32と第２凹部22の間を縫着している。
【００１８】
図４に於て、中央保護部材１と、側方保護部材２と、連結帯体３は、表て面側８ａに配設される表被覆部材81と、裏面側８ｂに配設される裏被覆部材82と、表被覆部材81と裏被覆部材82の間に介在される柔軟な緩衝部材（クッション部材）83と、表被覆部材81の縁部と裏被覆部材82の縁部とを密着させる縁巻部材84と、を有している。表被覆部材81及び裏被覆部材82は、天然又は人工（合成）の皮革や、ＰＰや、ナイロン系、ポリエステル系の生地が望ましい。また、緩衝部材83は、発泡プラスチックが望ましい。
【００１９】
中央保護部材１と側方保護部材２と連結帯体３は、同じ方法で製造される。例えば、連結帯体３の場合で説明すると、図６（ａ）及び図７（ａ）に示すように、表被覆部材81を予め、金型プレス成形によって、緩衝部材83が接触する内面側を窪ませて位置決め用窪部81ａを成形して、緩衝部材83の内装及び位置決めが容易な形状としている。つまり、予め、各表被覆部材81は、表て面側８ａを、各保護凸部11，21，31、及び、各凹部12，22，32、の外形状にプレス成形している。また、緩衝部材83も位置決め用窪部81ａに内装が容易な形状と寸法とする。予め、成形することで、位置決めや縫製作業が容易にできると共に、各保護凸部11，21，31を段差や曲面等を組合せた形状に容易に成形でき、美観やデザイン性を向上させることができる。
【００２０】
そして、表被覆部材81、緩衝部材83、裏被覆部材82を順次積層して、１本の帯状の縁巻部材84で縁部を１周包囲して、図６（ｂ）に示すように、緩衝部材83寄り（近傍）で、表被覆部材81と裏被覆部材82と縁巻部材84とを縫着（縁縫い）している。また、図７（ｂ）に示すように、第３凹部32内で、横方向に縫着している。緩衝部材83の周囲が縫着され、図３と図４と図６と図７に太い破線で示した縫着部を有する中央保護部材１と側方保護部材２と連結帯体３等が製造される。なお、図１及び図２に於ては、縁巻部材84の縫着部や、各保護凸部11，21，31の周囲の縫着部を図示省略している。
【００２１】
また、図１と図２と図５に太い破線で示すように、中央保護部材１と連結帯体３の縫着部、及び、連結帯体３と側方保護部材２の縫着部は、互いの縁巻部材84が縫着されている（各保護凸部11，21，31が形成されていない）箇所を重ね合わせて縫着している。言い換えると、各側縁部13，23，33は、縁巻部材84が縫着されている側縁である。
【００２２】
また、図１乃至図３に於て、中央保護部材１は、左右一対の突片状肩部19，19を一体に有している。中央保護部材１は、左右一対の突片状肩部19，19に、肩パット部材４が左右外方に突出状に縫着されている。中央保護部材１の突片状肩部19の側縁部より肩パット部材４の一方の側縁部を表て面側８ａに配設して重ね合わせて相互に間欠的に縫着している。間欠的に縫着することで非縫着の部位を形成し、この非縫着の部位を、表て面側８ａと裏面側８ｂとを連通させる第３通気口45としている。
【００２３】
また、側方保護部材２は、他方の側縁部23ｂに、柔軟な（可撓性を有する）板状の取付パット部材７を縫着している。また、第２保護凸部21を所定の左右間隔をもって分割し、横方向に隣合う第２保護凸部21，21の間を、図３に示すように上下に縫製することで、体の曲線（腹周り）に沿って密着しやすくするための折り目付けのステッチと、を行っている。また、取付パット部材７は、上下に縫製して体の曲線に沿って密着しやすくするための折り目付けされたステッチ部を有している。
【００２４】
本発明のプロテクター用パット部材の第１の実施形態は、図９及び図10に示すように、人体の腰部及びその近傍を保護する腰パット部材５であって、腰パット部材５は、横長矩形状の上腰パット片51と、横長矩形状の下腰パット片52と、を有している。上腰パット片51の下縁部51ｂの左右端と、下腰パット片52の上縁部52ａの左右端と重ね合わせ、重ね合わせた左右両端部を相互に縫着し、中間部を非縫着として、横方向に間欠的に縫着している。上腰パット片51と下腰パット片52とを相互に折れ曲がり自在としている。非縫着部（中間部）で、上腰パット片51の下縁部51ｂと、下腰パット片52の上縁部52ａと、を離間させて、細長いスリット状に腰用通気窓部50を形成している。また、上下に縫製して体の曲線に沿って密着しやすくするための折り目付けされたステッチ部を有している。
【００２５】
また、腰パット部材５には、ゴムベルト等の弾性帯体から成ると共に、人体の腰部に巻着するための左右一対の腰ベルト57，57が左右両端から横方向に突設されている。腰ベルト57の先端には、係合・離脱可能な雌雄一対の腰用バックル部材58，59の一方が設けられている。具体的には、取付パット部材７（プロテクター本体８側）に付設された腰用雌バックル部材59に係合・離脱自在可能な腰用雄バックル部材58を、設けている。
【００２６】
また、本発明のプロテクター用パット部材の第２の実施形態は、図12及び図13に示すように、人体の首後部及びその下部近傍を保護する首パット部材６であって、首パット部材６は、横長矩形状の上首パット片61と、横長矩形状の下首パット片62と、を有している。上首パット片61の下縁部61ｂの左右端と、下首パット片62の上縁部62ａ左右端と重ね合わせ、重ね合わせた左右両端部を相互に縫着し、中間部を非縫着として、横方向に間欠的に縫着している。上首パット片61と下首パット片62とを相互に折れ曲がり自在としている。さらに、非縫着部（中間部）で、上首パット片61の下縁部61ｂと、下首パット片62の上縁部62ａと、を離間させて、細長いスリット状に首用通気窓部60を形成している。また、上下に縫製して体の曲線に沿って密着しやすくするための折り目付けされたステッチ部を有している。
【００２７】
また、首パット部材６には、ゴムベルト等の弾性帯体から成ると共に、人体に首かけするための一本の首ベルト67が横方向に挿通されている。首ベルト67の両端には、係合・離脱自在な雌雄一対の首用バックル部材68，69の一方が設けられている。具体的には、突片状肩部19，19（プロテクター本体８）に付設された首用雌バックル部材69，69に係合・離脱可能な首用雄バックル部材68，68を、設けている。
【００２８】
上述した本発明のプロテクター用パット部材が適用されるプロテクターの使用方法（作用）について説明する。
中央保護部材１を人体の胸部及び前腹部に接触すると共に、首パット部材６及び首ベルト67を首掛けし、腰パット部材５及び腰ベルト57を巻着して、装着する。
すると、図８に示すように、連結帯体３が、中央保護部材１との縫着部廻り（矢印Ｅ方向）に揺動し、さらに、側方保護部材２が、連結帯体３との縫着部廻り（矢印Ｆ方向）に揺動し、人体の横腹部に沿う。
【００２９】
中央保護部材１と側方保護部材２とが一体ものの場合には、折れ曲がる変形に大きな外力を要するが、本発明では、容易に連結帯体３に於て折れ曲がって、人体の腹部及び胸部の曲線に容易に沿って密着する。即ち、腰ベルト57等で側方保護部材２を横腹部から背中側へ引き込むように強く締め付ける必要がなくなり、腰ベルト57が使用者を強く圧迫せず、不快感を軽減する。また、使用者の運動による位置ズレを防止し、他者や球が人体へ接触するのを確実に保護する。
【００３０】
また、中央保護部材１の側縁部13と側方保護部材２の一方の側縁部23ａが、所定の間隔寸法Ｇをもって、互いに離間しているので、中央保護部材１の側縁部13と側方保護部材２の側縁部23ａが干渉せず、スムーズかつ確実に人体に沿うように折れ曲がる。また、縁巻部材84が縫着されている箇所を、相互に重ね合わせて縫着しているので、柔軟かつスムーズに折れ曲がる。また、人体を保護すべき中央保護部材１及び側方保護部材２を、連結帯体３より人体側に配設しているので、より確実に密着しフィット感が得られる。
【００３１】
また、第１通気口15及び第２通気口25が、装着状態に発生する熱気（体熱）を人体の胸部や前腹部及び横腹部側（裏面側８ｂ）から外部（表て面側８ａ）に送り出す。或いは、外気を表て面側８ａから裏面側８ｂに取り込む。空気（熱気）の流れをつくり、人体に冷却効果をもたらし、蒸れや体温の上昇を軽減して、快適にプレーさせる。また、第３通気口45は、熱を人体の肩部から表て面側８ａに送り出す。或いは、外気を表て面側８ａから裏面側８ｂに取り込む。使用者と肩パット部材４の間に、空気の流れをつくり、人体の肩部に冷却効果をもたらす。
【００３２】
また、図11に示すように、装着状態で、腰パット部材５は、上腰パット片51が人体の腰上部乃至腰中間部に密着すると共に、下腰パット片52が、縫着部廻りに（矢印Ｘの方向へ）揺動して、腰下部乃至臀部の上部近傍の湾曲突部に沿うように密着する。つまり、腰部や背中の反り、又は、腰部や臀部の曲線に沿って当接し、（従来の）一体ものの場合の不快な違和感が軽減する。また、腰用通気窓部50によって、腰パット部材５と人体との間の熱を逃がす、又は、腰パット部材５と人体の間に外気を取り込んで、冷却効果をもたらす。蒸れを軽減し、快適にプレーさせる。
【００３３】
また、図14に示すように、装着状態で、首パット部材６は、上首パット片61が人体の首部に密着すると共に、下首パット片62が縫着部廻りに（矢印Ｙの方向へ）揺動して、首下部乃至後肩上部近傍（背中側の首の付け根部）の湾曲部に沿うように当接し、（従来の）一体ものの場合の不快な違和感を軽減できる。また、首用通気窓部60によって、首パット部材６と人体との間の熱を逃がす、又は、首パット部材６と人体の間に外気を取り込んで、冷却効果をもたらす。蒸れを軽減し、快適にプレーさせる。
【００３４】
本発明は設計変更可能であって、腰パット部材５と首パット部材６とを縦方向に連結する背ベルト部材を設けるのが望ましい。取付パット部材７に腰用雄バックル部材58を設け、腰ベルト57に腰用雌バックル部材59を設けても良い。突片状肩部19に首用雄バックル部材68を設け、首ベルト67に首用雌バックル部材69を設けても良い。また、腰パット部材５及び首パット部材６は、図示した姿勢で装着する以外に上下反対として装着するも良い。
【００３５】
以上のように、プロテクターは、人体の胸部及び前腹部を保護する板状の中央保護部材１と、人体の横腹部を保護する左右一対の板状の側方保護部材２，２と、中央保護部材１の左右各側縁部13，13と側方保護部材２とを相互に折曲げ自在に連結する連結帯体３と、を有し、中央保護部材１と連結帯体３とを間欠的に上下に縫着することによって非縫着の第１通気口15を形成し、連結帯体３と側方保護部材２とを間欠的に上下に縫着することによって非縫着の第２通気口25を形成したので、中央保護部材１と側方保護部材２とを相互に折曲げて、人体の腹や腰周りの曲線に円滑に沿うように密着させて装着できる。連結縫着作業と、通気口形成作業を略同時に行うことができ、製造が迅速かつ容易と成る。つまり、中央保護部材１と連結帯体３との連結縫着作業、及び、連結帯体３と側方保護部材２との連結縫着作業で第１・２通気口15，25を容易に形成することができ、製造工程を簡略化できる。各通気口15，25により体温の上昇や蒸れを軽減でき、装着時の違和感や不快感を軽減し、プレーに集中させることができる。第１通気口15及び第２通気口25が外部から目立たず、美観や高級感を損なわずに通気性を向上させることができる。
【００３６】
また、中央保護部材１は表て面側８ａに所定の上下間隔をもって突設された複数の衝撃緩和用の第１保護凸部11を有し、側方保護部材２は表て面側８ａに所定の上下間隔をもって突設された複数の衝撃緩和用の第２保護凸部21を有し、連結帯体３は表て面側８ａに所定の上下間隔をもって突設された複数の衝撃緩和用の第３保護凸部31を有し、さらに、第１保護凸部11と第３保護凸部31と第２保護凸部21とを横方向に並設し、横方向に隣合う第１保護凸部11と第３保護凸部31の間に第１通気口15を形成し、横方向に隣合う第３保護凸部31と第２保護凸部21の間に第２通気口25を形成したので、第１通気口15及び第２通気口25が外部から目立たず、美観や高級感を損なわずに通気性を向上させることができる。中央保護部材１と連結帯体３と側方保護部材２とが、１枚板状部材であるかのような一体感を演出し、美観や高級感が得られ、デザイン性が優れたものにできる。縫製する際に各保護凸部11，21，31が邪魔にならず連結用の縫製を容易に行うことができる。
【００３７】
以上のように、本発明のプロテクター用パット部材は、人体の腰部及びその近傍を保護する腰用のプロテクター用パット部材に於て、上腰パット片51の下縁部51ｂの左右端と下腰パット片52の上縁部52ａの左右端とを重ね合わせた左右両端部を相互に縫着し、中間部を非縫着として、上腰パット片51と下腰パット片52とを相互に折曲げ自在に構成し、さらに、非縫着の中間部において上縁部52ａと下縁部51ｂとを離間させて細長スリット状の腰用通気窓部50を形成したので、上腰パット片51が人体の腰上部乃至腰中間部に密着すると共に、下腰パット片52が、縫着部廻りに（矢印Ｘの方向へ）揺動して、腰下部乃至臀部の上部近傍の湾曲突部に沿うように密着できる。つまり、腰部や背中の反り、又は、腰部や臀部の曲線に沿って当接し、（従来の）一体ものの場合の不快な違和感を軽減できる。また、腰用通気窓部50によって、腰パット部材５と人体との間の熱を逃がす、又は、腰パット部材５と人体の間に外気を取り込んで、冷却効果をもたらす。蒸れを軽減し、快適にプレーさせることができる。
【００３８】
また、人体の首後部及びその下部近傍を保護する首用のプロテクター用パット部材に於て、上首パット片61の下縁部61ｂの左右端と下首パット片62の上縁部62ａの左右端とを重ね合わせた左右両端部を相互に縫着し、中間部を非縫着として、上首パット片61と下首パット片62とを相互に折曲げ自在に構成し、さらに、非縫着の中間部において上縁部62ａと下縁部61ｂとを離間させて細長スリット状の首用通気窓部60を形成したので、上首パット片61を人体の首部に密着できると共に、下首パット片62が縫着部廻りに（矢印Ｙの方向へ）揺動して、首下部乃至後肩上部近傍（背中側の首の付け根部）の湾曲部に沿うように当接し、（従来の）一体ものの場合の不快な違和感を軽減できる。また、首用通気窓部60によって、首パット部材６と人体との間の熱を逃がす、又は、首パット部材６と人体の間に外気を取り込んで、冷却効果をもたらす。蒸れを軽減し、快適にプレーさせることができる。
【符号の説明】
【００３９】
50  腰用通気窓部
51  上腰パット片
51ｂ  下縁部
52  下腰パット片
52ａ  上縁部
60  首用通気窓部
61  上首パット片
61ｂ  下縁部
62  下首パット片
62ａ  上縁部
【図１】
2011190563.tif 000003
【図２】
2011190563.tif 000004
【図３】
2011190563.tif 000005
【図４】
2011190563.tif 000006
【図５】
2011190563.tif 000007
【図６】
2011190563.tif 000008
【図７】
2011190563.tif 000009
【図８】
2011190563.tif 000010
【図９】
2011190563.tif 000011
【図１０】
2011190563.tif 000012
【図１１】
2011190563.tif 000013
【図１２】
2011190563.tif 000014
【図１３】
2011190563.tif 000015
【図１４】
2011190563.tif 000016